(57)【要約】【課題】サドル部と、サドル部より立設される筒状の主幹部と、該主幹部に捩じ込んで装着されるホールソーとを有するバイパス管用のサドル継手において、サドル部を包装用の袋ごと、或いは直に掴んだとき、指先が袋を介し、或いは直接主幹部の開口に入りこんでホールソーに触れ、ホールソーに塗布したグリスが袋や指先に付着し、これがサドル部のプラスチック管との接合面に付着したり、プラスチック管に付着することによる融着不良を解消する。【解決手段】サドル部２の主幹部３への開口７にフランジ１２を突出形成して開口内に指先が入らないようにする。【選択図】図３
2008008308.tif 000002
【特許請求の範囲】
【請求項１】
サドル部と、該サドル部より立設される筒状の主幹部と、主幹部内に捩じ込んで組み付けられるホールソーよりなるサドル継手等において、サドル部の主幹部への開口ないしその付近に指先が主幹部内に入り込むことによるホールソーとの接触を阻止し、ホールソーによる切断が可能な防護部を設けたことを特徴とするサドル継手等。
【発明の詳細な説明】
【技術分野】
【０００１】
本発明は、プラスチック管を用いた上下水道管やガス管等の配管工事において、枝管を接続するために用いるサービスチー継手やバイパス工法において用いられるバイパス管用サドル継手等（本明細書においては、これらサービスチー継手及びバイパス管用サドル継手を総称してサドル継手等という）に関する。
【背景技術】
【０００２】
図１及び図２は、従来のバイパス管用サドル継手の一例を示すもので、プラスチック管１との接合面に電熱線を埋設したサドル部２と、サドル部２より立設される筒状の主幹部３と、図示しない電気融着装置のコネクターが差込んで接続されるターミナル４と、主幹部３に被せて捩じ込んで装着されるキャップ５と、主幹部３内に捩じ込んで組み付けられるプラスチック管穿孔用のホールソー６よりなり、工場出荷段階では袋に入れて包装されて出荷されている。サービスチー継手についても同様である。ホールソーを備えたサドル継手が下記特許文献１に開示されている。
【発明の開示】
【発明が解決しようとする課題】
【０００３】
図１に示すサドル継手８は、施工時に包装容の袋を破って取出されるが、袋ごと掴む際、或いは袋から取出した際に、往々にして掴み易いサドル部が掴まれ、その際、指先がサドル部２の主幹部３への開口７に入り込み、袋を介し、或いは直にホールソー６に触れてホールソー６に塗布したグリスが袋に付着したり、指先に付着することがあり、袋や指先に付着したグリスが更にサドル部の管との接合面に付着することがある。またサドル継手８をプラスチック管に当てて装着し、クランプで固定する際、袋や指先に付着したグリスがサドル部の管との接合面に付着したり、管に付着し、これがため管と継手との融着不良を来たすことがあった。ホールソー６との接触は、グリスが付着する以外にホールソーの刃先に触れることによって指先が傷付く安全上の問題もある。とくにホールソー６のネジが弛んで運搬時にサドル部内に突出している場合、そうである。
【０００４】
サービスチー継手に組み込まれるホールソーは、主幹部上部に組み込まれているため通常はサドル部を掴んでも指先がホールソーに触れることはないが、ホールソーのネジが弛んで運搬時にサドル部側に移動していたり、サドル部内に突出していると、上記と同様の問題を生ずる。
【０００５】
本発明は、上記のような問題を生ずることがない、ホールソー組み込みのサドル継手等を提供することを目的とする。
【課題を解決するための手段】
【０００６】
本発明は、サドル部と、該サドル部より立設される筒状の主幹部と、主幹部内に捩じ込んで組み付けられるホールソーよりなるサドル継手等において、サドル部の主幹部への開口ないしその付近に指先が主幹部内に入り込むことによるホールソーとの接触を阻止し、ホールソーによる切断が可能な防護部を設けたこと、好ましくはサドル継手等と同材質で、サドル継手等と一体形成した防護部を設けたことを特徴とする。
【０００７】
本発明の防護部としては、開口から指先が入り込んでホールソーに指先が触れないようなものであればよく、とくに制限はない。こうしたものとしては、例えば以下の実施形態に示されるような開口内に突出する環状のフランジ、開口内に突出する舌片、開口を塞ぐ蓋等を例示することができる。
【０００８】
本発明のサドル継手等としては、サドル部のプラスチック管との接合面に電熱線を埋設し、電熱線への通電により電熱線を発熱させてプラスチック管との融着を行う電気融着継手が用いられるが、このほかサドル部の接合面をヒータにより加熱溶融するタイプの熱融着継手を用いることもできる。
【発明の効果】
【０００９】
本発明によると、サドル部を包装用の袋ごと、或いは直接掴んだとき、指先が袋を介し、或いは直に主幹部の開口に入り込もうとしても防護部で阻止されるため、袋や指先がホールソーに触れることができず、そのため袋や指先がホールソーに塗布したグリスに触れて該グリスが付着し、これがためサドル部の接合面やプラスチック管の表面にグリスが付着することによる融着不良を生ずるおそれがなく、また刃先に触れることによる安全上の問題も生じないこと、等の効果を奏する。なお、防護部はホールソーによるプラスチック管への穿孔時に切断される。
【発明を実施するための最良の形態】
【００１０】
以下、本発明の実施形態のバイパス管用サドル継手について図面により説明する。図中、図１及び図２に示すサドル継手と同一構造部分には同一符号を付して、その説明を省略する。
【００１１】
図３に示すサドル継手１１は、図２に示すサドル継手８において、サドル部２の主幹部３への開口７に図４に示すように防護部として開口内に突出する環状のフランジ１２を継手１１と一体形成して設け、サドル部２を袋を介し或いは直接掴んだとき、指先がフランジ１２に阻まれて開口内に入り込み、ホールソー６と接触できないようにしている。
【００１２】
図５は、防護部の別の例を示すもので、この例において防護部は、開口７内に突出する複数の舌片１４として構成されている。
【００１３】
図６に示すサドル継手１５は、防護部が開口７を塞ぐ蓋１６（点線の部分）として構成されている。上記各実施形態は、いずれもバイパス管用のサドル継手について示したが、サービスチー継手についてもサドル部の主幹部への開口が同様に構成される。
【００１４】
以上の実施形態においては運搬中、例えネジの弛みでホールソーがサドル部側に移動しようとし、或いは移動しても防護部である、フランジ１２、舌片１４或いは蓋１６等で阻止されてサドル部内に突出することもなく、防護部がホールソーのストッパーとしての機能を果たし得る。
【産業上の利用可能性】
【００１５】
本発明は、バイパス管用のサドル継手のみならず、枝管を接続するためのサービスチー継手にも適用可能である。
【図面の簡単な説明】
【００１６】
【図１】バイパス管用サドル継手の正面図。
【図２】図１のＡ−Ａ線における従来のバイパス管用サドル継手の断面図。
【図３】キャップを除いた図１のＡ−Ａ線における本発明に係わるバイパス管用サドル継手の断面図。
【図４】図３に示すサドル継手の主幹部に通ずる開口にフランジを形成した図。
【図５】同舌片を形成した図。
【図６】キャップを省いた本発明に係わるバイパス管用サドル継手の別の例の断面図。
【符号の説明】
【００１７】
１・・プラスチック管
２・・サドル部
３・・主幹部
４・・ターミナル
５・・キャップ
６・・ホールソー
７・・開口
８、１１、１５・・サドル継手
１２・・フランジ
１４・・舌片
１６・・蓋
【図１】
2008008308.tif 000003
【図２】
2008008308.tif 000004
【図３】
2008008308.tif 000005
【図４】
2008008308.tif 000006
【図５】
2008008308.tif 000007
【図６】
2008008308.tif 000008